Podtech/llm-jp-corpus-v4-ja_patent huggingface dataset:
【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
人体の心血管機能予備能を判定するための方法であって、
ａ．１回拍出量（ＳＶ）と全身血管抵抗（ＳＶＲ）との積である、又は積に近似するパラメータＺを取得するために、前記人体に関連する生理学的データを記憶ユニットから受信するステップと、
ｂ．前記人体の呼吸数（ＲＲ）を表す値を提供するステップと、
ｃ．前記人体の体表面積（ＢＳＡ）を計算するために、前記人体に関連する人体計測データを提供するステップと、
ｄ．前記Ｚパラメータ、前記ＲＲ、及び前記ＢＳＡを使用して、以下の式：
ＣＶＲＩ＝（（Ｚ／ＲＲ）／（ＢＳＡ＊４））
により、正規化された心血管予備能指数（ＣＶＲＩ）を計算するステップと、
ｅ．前記ＣＶＲＩを出力し、前記ＣＶＲＩから前記人体の医学的状態を推定するステップとを含む方法。
【請求項２】
前記生理学的データが、前記人体の測定可能な血行動態関連データであり、
前記人体の実際のＳＶ及びＳＶＲが、前記血行動態関連データから測定される又は取得することができる、請求項１に記載の方法。
【請求項３】
Ｚが式Ｚ＝８０＊（ＭＡＢＰ−ＣＶＰ）／ＨＲにより近似され、ここで、ＭＡＢＰは平均動脈圧のデータであり、ＣＶＰは中心静脈圧のデータであり、ＨＲは心拍数のデータである、請求項１に記載の方法。
【請求項４】
ＣＶＰのデータが使用可能でない場合に、差（ＭＡＢＰ−ＣＶＰ）又は差の最良の推定を使用して、前記心血管予備能指数が計算される、請求項３に記載の方法。
【請求項５】
前記生理学的データからの計算により、又は最良の推定を提示することにより、呼吸数（ＲＲ）値がもたらされる、請求項１に記載の方法。
【請求項６】
前記指数を出力するステップが、少なくとも１人の人体についての前記指数（人体毎の前記指数）を表示するステップと、経時的な傾向についての指標の有無で、前記人体の現在の指数及び複数の過去の指数からなるグラフを作成するステップとを含む、請求項１に記載の方法。
【請求項７】
瞬時心血管予備能を推定するためのシステムであって、
ａ）前記人体から生理学的データを取得し、前記人体に関連する人体計測データを取得し、前記人体の呼吸数（ＲＲ）を表す値を取得するために、少なくとも１人の人体に接続可能な少なくとも１つのデータ・ソースであって、前記生理学的データが、１回拍出量（ＳＶ）と全身血管抵抗（ＳＶＲ）との積である、又は積に近似するパラメータＺを取得するために使用され、前記人体計測データが、前記人体の体表面積（ＢＳＡ）を計算するために使用されるデータ・ソースと、
ｂ）前記データ・ソースと通信する分析ユニットであって、前記Ｚパラメータ、前記ＲＲ、及び前記ＢＳＡを使用して、以下の式
ＣＶＲＩ＝ＣＶＲ／（ＢＳＡ＊４）
により、正規化された心血管予備能指数（ＣＶＲＩ）を計算することによって、前記瞬時心血管予備能を表す指数を判定するために、前記データ・ソースから受信したデータを所有するように構成された分析ユニットとを備えたシステム。
【請求項８】
前記データ・ソースがバイタル・サイン・モニタ（又は（１つ若しくは複数の）センサ）を備え、前記バイタル・サイン・モニタが人体と通信し、通信において、前記バイタル・サイン・モニタが、人体の組織に固定、付着、植込、結合、当接され、前記人体が着用する衣服又は機器内にあり、及び／又は前記人体に近接することを含む、請求項７に記載のシステム。
【請求項９】
前記分析ユニットが、有線接続及び／又は無線接続により前記データ・ソースと通信する、請求項７に記載のシステム。
【請求項１０】
前記分析ユニットが、前記データ・ソースがあるか、又は前記データ・ソースと通信している前記人体上にない別個の部品である、請求項７に記載のシステム。
【請求項１１】
前記データ・ソースが、生理学的データ及び人体計測データを前記分析ユニットに通信可能にする送信機（及び／又は受信機）に接続されることにより、前記人体の遠隔モニタリング、及びトリアージ、輸送、治療、又は遠隔治療決定等の医療事象中のモニタリングが可能になる、請求項７に記載のシステム。
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
呼吸に適した乾燥粒子からなる処理可能な乾燥粉末からなる密封されたレセプタクルであって、前記呼吸に適した乾燥粒子が、ナトリウム塩、任意の賦形剤、および１つ以上の治療剤からなり、前記治療剤の少なくとも１つが疎水性であり、前記処理可能な乾燥粉末が、５ミクロン以下の体積幾何中位径（ＶＭＧＤ）および０．１ｇ／ｃｍ３超〜約１．０ｇ／ｃｍ３の嵩密度を有する、密封されたレセプタクル。
【請求項２】
疎水性の治療剤がイトラコナゾールである、請求項１記載の密封されたレセプタクル。
【請求項３】
前記ナトリウム塩が、クエン酸ナトリウム、塩化ナトリウム、乳酸ナトリウム、硫酸ナトリウム、およびそれらの組み合わせからなる群から選択される、請求項１または２記載の密封されたレセプタクル。
【請求項４】
前記賦形剤が、１つ以上のアミノ酸、１つ以上の炭水化物、１つ以上の糖アルコール、およびそれらの組み合わせからなる群から選択される、請求項１〜３いずれか記載の密封されたレセプタクル。
【請求項５】
前記処理可能な乾燥粉末が、約１秒以下に１個の速度で複数のレセプタクル内に充填される、請求項１〜４いずれか記載の密封されたレセプタクル。
【請求項６】
前記レセプタクルの少なくとも８０％が、標的充填重量の８５％〜１１５％以内で充填される、請求項５記載の密封されたレセプタクル。
【請求項７】
前記乾燥粉末が、約５ミクロン以下の質量中央空気力学径（ＭＭＡＤ）を有する、請求項１〜６いずれか記載の密封されたレセプタクル。
【請求項８】
前記呼吸に適した乾燥粒子が、噴霧乾燥されたものである、請求項１〜７いずれか記載の密封されたレセプタクル。
【請求項９】
呼吸器疾患の治療のための医薬の製造のための処理可能な乾燥粉末であって、前記処理可能な乾燥粉末が呼吸に適した乾燥粒子からなり、前記呼吸に適した乾燥粒子が、ナトリウム塩、任意の賦形剤、および１つ以上の治療剤からなり、前記治療剤の少なくとも１つが疎水性であり、前記処理可能な乾燥粉末が、５ミクロン以下の体積幾何中位径（ＶＭＧＤ）および０．１ｇ／ｃｍ３超〜約１．０ｇ／ｃｍ３の嵩密度を有する、処理可能な乾燥粉末。
【請求項１０】
前記呼吸器疾患が、真菌感染により引き起こされる、請求項９記載の処理可能な乾燥粉末。
【請求項１１】
気道感染病の治療のための医薬の製造のための処理可能な乾燥粉末であって、前記処理可能な乾燥粉末が呼吸に適した乾燥粒子からなり、前記呼吸に適した乾燥粒子が、ナトリウム塩、任意の賦形剤、および１つ以上の治療剤からなり、前記治療剤の少なくとも１つが疎水性であり、前記処理可能な乾燥粉末が、５ミクロン以下の体積幾何中位径（ＶＭＧＤ）および０．１ｇ／ｃｍ３超〜約１．０ｇ／ｃｍ３の嵩密度を有する、処理可能な乾燥粉末。
【請求項１２】
前記感染病が、真菌感染により引き起こされる、請求項１２記載の処理可能な乾燥粉末。
【請求項１３】
前記呼吸に適した乾燥粒子が、５１重量％未満のナトリウム塩、５０重量％未満の賦形剤、および２５重量％以上の治療剤からなる、請求項１記載のレセプタクル。
【請求項１４】
前記ナトリウム塩が硫酸ナトリウムであり、前記賦形剤がロイシンであり、前記治療剤がイトラコナゾールであり、前記呼吸に適した乾燥粒子が、約３５重量％の硫酸ナトリウム、約５０重量％のイトラコナゾール、および約１５重量％のロイシンからなる、請求項１３記載のレセプタクル。
【請求項１５】
前記ナトリウム塩が塩化ナトリウムであり、前記賦形剤がロイシンであり、前記治療剤がイトラコナゾールであり、前記呼吸に適した乾燥粒子が、約４０重量％の塩化ナトリウム、約５０重量％のイトラコナゾール、および約１０重量％のロイシンからなる、請求項１３記載のレセプタクル。
【手続補正書】
【提出日】平成28年2月29日(2016.2.29)
【手続補正１】
【補正対象書類名】明細書
【補正対象項目名】発明の名称
【補正方法】変更
【補正の内容】
【発明の名称】手術用ステープル
【手続補正２】
【補正対象書類名】明細書
【補正対象項目名】００１１
【補正方法】変更
【補正の内容】
【００１１】
一部応用例において、手術用ステープル１４を挿入する前に、夫々の骨部分１０，１２の中に（点線で示された）孔１６をドリル開けによって、または他の方法で形成して骨部分１０，１２が準備できる。続いて、手術用ステープル１４は、夫々の骨部分１０，１２の孔１６内に手術用ステープル１４の一部が効果的且つしっかりと位置付けられて所望のとおりに挿入できる。また、手術用ステープル１４は、治療の途中で、一部の所望の目的、例えば、骨部分１０，１２に隣接する皮膚の縫合、互いに実質的に隣接する骨部分１０，１２の移動および／もしくは保持、ならびに／または治療の間骨部分１０，１２を所定の位置に押しつけて共に保持するために用いることができる。追加的におよび/または代替的に、手術用ステープル１４は、別の適切な目的のために用いることができる。
【手続補正３】
【補正対象書類名】明細書
【補正対象項目名】００３４
【補正方法】変更
【補正の内容】
【００３４】
図３Ａは、本発明の特徴を有する手術用ステープル３１４の別の実施例の概略的な斜視図である。図に示すように、図３Ａに示し説明した手術用ステープル３１４は、図２Ａ乃至図２Ｅに関して示し、上記で説明した手術用ステープル２１４と多少類似する。例えば、手術用ステープル３１４は、実質的に平坦な中間セクション３１８と、中間セクション３１８から片持ち状に延びた２つの側面セクション３２０Ａ，３２０Ｂとを含む。また、先の実施例のように、手術用ステープル３１４は、（例えば、図３Ｂに示された）弛緩配置と（図３Ｃに示された）開放配置との間で選択的に移動可能である。より具体的に、手術用ステープル３１４が弛緩配置にあるとき、側面セクション３２０Ａ，３２０Ｂは、側面セクション３２０Ａ，３２０Ｂが互いに向かって少し傾斜するように９０度未満の角度で中間セクション３１８から片持ち状で延びることができる。一部の実施例において、側面セクション３２０Ａ，３２０Ｂはまた、夫々の側面セクション３２０Ａ，３２０Ｂにしっかりと固定および/または一体に形成される１つ以上の（図示していない）歯を含むことができる。
【手続補正４】
【補正対象書類名】明細書
【補正対象項目名】００５３
【補正方法】変更
【補正の内容】
【００５３】
図４Ｃは図４ＡのＣ-Ｃ線で切り取った手術用ステープル４１４の断面図である。具体
的に、図４Ｃは、手術用ステープル４１４のさらなる詳細を図示している。例えば、図４Ｃは、（図４Ｃには第１側面セクション４２０Ａのみ図示されているが）側面セクションの端部４２２が側面セクション４２０Ａの大半に対して外側に少し広がっていることを図示している。言い換えれば、側面セクション４２０Ａは、例えば、図１に図示された第１骨部分１０又は第２骨部分１２のような骨部分の（図１に図示された）孔１６をより完全に埋めることができる幅広の端部４２２（または下端）のデザインを有する。また、上述のように、そのようなデザインは、骨部分１０，１２に対し力の分散がよりよくできるようにし、骨部分１０，１２の移動がより大きくなるようにして、その結果骨と骨との押しつけがよりよくできるようにする。
【手続補正５】
【補正対象書類名】明細書
【補正対象項目名】００７０
【補正方法】変更
【補正の内容】
【００７０】
図６は、本発明の特徴を有する手術用ステープル６１４のまた別の実施例の概略的な正面図である。弛緩配置の手術用ステープル６１４が図示されていることに注目すべきである。図に示すように、手術用ステープル６１４は、図３Ａ乃至図３Ｄに関して示し説明した手術用ステープル３１４と実質的に類似する。例えば、手術用ステープル６１４は、伸縮性のプレート形状の中間セクション６１８と、中間セクション６１８から片持ち状に延びる２つの側面セクション６２０Ａ，６２０Ｂとを含む。より具体的に、手術用ステープル６１４が弛緩配置にあるとき、側面セクション６２０Ａ，６２０Ｂは、側面セクション６２０Ａ，６２０Ｂが互いに向かって少し傾斜するように中間セクション６１８から片持ち状に延び得る。または、一実施例において、開口配置において、中間セクション６１８は、略平坦で、側面セクション６２０Ａ，６２０Ｂは、中間セクション６１８に対して実質的に垂直である。
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
ナノ細孔を経るポリマーの輸送中に行われる前記ポリマーの測定の時間順序系列を解析する方法であって、前記測定がナノ細孔中のｋマー（k-mer）の同一性に依存し、ｋマーが前記ポリマーのｋ個のポリマー単位であり、ｋが正の整数であり、
前記方法が、
前記測定の前記系列から、前記測定の特性を表す時系列的特徴の特徴ベクトルを導出するステップと、
前記導出された特徴ベクトルと少なくとも１つの他の特徴ベクトルとの類似性を判定するステップと
を含む方法。
【請求項２】
前記少なくとも１つの他の特徴ベクトルが、少なくとも１つのクラスについて記憶装置に保存された少なくとも１つの他の特徴ベクトルである、請求項１に記載の方法。
【請求項３】
前記記憶装置に保存された前記少なくとも１つの他の特徴ベクトルが、測定される前記ポリマーに応じて選択される、請求項２に記載の方法。
【請求項４】
前記記憶装置に保存された前記少なくとも１つの他の特徴ベクトルが、断片の前記特徴ベクトルから構成された共通ポリマーの全特徴ベクトルを含む、請求項２又は３に記載の方法。
【請求項５】
類似性を判定する前記ステップが、前記導出された特徴ベクトルの全体又は一部と前記記憶装置に保存された前記少なくとも１つの他の特徴ベクトルの全体との間の類似性を判定するステップを含む、請求項２〜４のいずれか一項に記載の方法。
【請求項６】
類似性を判定する前記ステップが、前記導出された特徴ベクトルの全体又は一部と前記記憶装置に保存された前記少なくとも１つの他の特徴ベクトルの一部との間の類似性を判定するステップを含む、請求項２〜４のいずれか一項に記載の方法。
【請求項７】
前記導出された特徴ベクトルが導出される前記ポリマーを、前記判定された類似性に基づいて前記クラスに属するものとして分類するステップをさらに含む、請求項２〜６のいずれか一項に記載の方法。
【請求項８】
前記少なくとも１つの他の特徴ベクトルが、同じ方法を用いて導出された特徴ベクトルである、請求項１に記載の方法。
【請求項９】
前記少なくとも１つの他の特徴ベクトルが、同じ方法を用いて導出された複数の特徴ベクトルであり、前記方法が、該特徴ベクトルの重複部分の類似性に基づいて共通ポリマーの断片であるポリマーから導出される特徴ベクトルを同定するステップをさらに含む、請求項８に記載の方法。
【請求項１０】
前記同定された断片の前記特徴ベクトルから前記共通ポリマーの全特徴ベクトルを構築するステップをさらに含む、請求項８に記載の方法。
【請求項１１】
前記少なくとも１つの他の特徴ベクトルが、同じ方法を用いて導出された複数の特徴ベクトルであり、前記方法が、類似の特徴ベクトルのクラスターをクラスとして同定するステップと、該特徴ベクトルが導出される前記ポリマーを同定されたクラスに属するものとして分類するステップとをさらに含む、請求項８に記載の方法。
【請求項１２】
異なるクラスに属する特徴ベクトルの数を数えるステップをさらに含む、請求項７又は１１に記載の方法。
【請求項１３】
前記導出された特徴ベクトルが、前記ポリマーが属すると分類されるクラスについて特徴ベクトルと異なる局所領域を同定するステップをさらに含む、請求項７、１１又は１２に記載の方法。
【請求項１４】
前記少なくとも１つの他の特徴ベクトルが、記憶装置に保存された特徴ベクトルを含み、類似性を判定する前記ステップが、前記導出された特徴ベクトルが該記憶装置に保存された前記少なくとも１つの他の特徴ベクトルと異なる局所領域を決定するステップを含む、請求項１に記載の方法。
【請求項１５】
連続的測定の群が各群について異なる各ｋマーに依存し、
特徴ベクトルを導出する前記ステップが、連続的測定の群を識別するステップ、及び各群について、該群の測定の特性を表す１つ又は複数の特徴の値を導出するステップを含む、
請求項１〜１４のいずれか一項に記載の方法。
【請求項１６】
前記特徴が
前記測定の群の平均、
前記測定の群の期間、
前記測定の群の分散、
非対称情報、
前記測定の信頼情報、
前記測定の群の分布又は
それらのいずれかの組合せ
を含む、請求項１〜１５のいずれか一項に記載の方法。
【請求項１７】
前記測定が電気測定である、請求項１〜１６のいずれか一項に記載の方法。
【請求項１８】
前記測定がナノ細孔を通るイオン電流の測定を含む、請求項１〜１７のいずれか一項に記載の方法。
【請求項１９】
前記測定が、イオン電流のほかの少なくも１つの追加の特性の測定をさらに含む、請求  項１８に記載の方法。
【請求項２０】
少なくも１つの追加の特性の前記測定がＦＥＴ測定、光学的測定又は両方を含む、請求項１９に記載の方法。
【請求項２１】
前記ポリマーがポリヌクレオチドであり、前記ポリマー単位がヌクレオチドである、請求項１〜２０のいずれか一項に記載の方法。
【請求項２２】
前記ナノ細孔が生体細孔である、請求項１〜２１のいずれか一項に記載の方法。
【請求項２３】
前記ナノ細孔を経る前記ポリマーの前記輸送が、連続するｋマーが前記ナノ細孔により登録される歯止めで動かされるような状態で行われる、請求項１〜２２のいずれか一項に記載の方法。
【請求項２４】
前記ポリマーの前記輸送が、ポリマー結合タンパク質である分子歯止めにより制御される、請求項１〜２３のいずれか一項に記載の方法。
【請求項２５】
前記類似性を判定するステップは、対での類似性のアライメントベース又はサブベクトルベースの測定を用いて実行される、請求項１〜２４のいずれか一項に記載の方法。
【請求項２６】
前記類似性を判定するステップは、前記少なくとも１つの他の特徴ベクトルの隠れマルコフモデル（Hidden Markov Model）を用いて、前記導出された特徴ベクトルをアライメントすることを含む、請求項１〜２４のいずれか一項に記載の方法。
【請求項２７】
ナノ細孔を経て前記ポリマーを輸送するステップと、
前記ポリマーの連続する系列の測定を行うステップと
をさらに含む、請求項１〜２６のいずれか一項に記載の方法。
【請求項２８】
標的ポリマーの存在、非存在又は量を推定する方法であって、
ナノ細孔を経てポリマーを輸送するステップと、
該ポリマーの連続する系列の測定を行うステップと、
請求項１から２６までのいずれか一項に記載の方法を用いて測定の系列を解析するステップと、
該解析に基づいて標的ポリマーの存在、非存在又は量を推定するステップと
を含む、方法。
【請求項２９】
コンピュータ装置により実行することができ、請求項１〜２６のいずれか一項に記載の方法を実施するための実行に基づいて構成されたコンピュータプログラム。
【請求項３０】
請求項１〜２６のいずれか一項に記載の方法を実施するように構成された解析装置。
【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
口腔端と遠位端とを有する喫煙物品であって、
熱源と、
前記熱源の下流のエアロゾル形成基材と、
前記エアロゾル形成基材の下流の少なくとも１つの空気入口と、
前記少なくとも１つの空気入口と喫煙物品の前記口腔端との間を延びる空気流通路と、
を含み、
前記空気流通路は、前記少なくとも１つの空気入口から前記エアロゾル形成基材に向けて縦方向上流に延びる第１の部分と、該第１の部分から喫煙物品の前記口腔端に向けて縦方向下流に延びる第２の部分とを含む、
ことを特徴とする喫煙物品。
【請求項２】
前記空気流通路の前記第１の部分は、前記少なくとも１つの空気入口から前記エアロゾル形成基材まで上流に延び、該空気流通路の前記第２の部分は、該エアロゾル形成基材から喫煙物品の前記口腔端に向けて下流に延びることを特徴とする請求項１に記載の喫煙物品。
【請求項３】
前記空気流通路の前記第１の部分は、前記少なくとも１つの空気入口から前記エアロゾル形成基材まで上流に延び、該空気流通路の前記第２の部分は、該エアロゾル形成基材内から喫煙物品の前記口腔端に向けて下流に延びることを特徴とする請求項１に記載の喫煙物品。
【請求項４】
前記空気流通路の前記第１の部分及び該空気流通路の前記第２の部分は、同心であることを特徴とする請求項１から請求項３のいずれか１項に記載の喫煙物品。
【請求項５】
前記空気流通路の前記第１の部分は、該空気流通路の前記第２の部分を取り囲むことを特徴とする請求項４に記載の喫煙物品。
【請求項６】
前記空気流通路の前記第１の部分及び該空気流通路の前記第２の部分は、実質的に一定の横断面のものであることを特徴とする請求項１から請求項３のいずれか１項に記載の喫煙物品。
【請求項７】
前記空気流通路の前記第１の部分の前記横断面は、該空気流通路の該第１の部分が上流に延びる時に増加し、該空気流通路の前記第２の部分の前記横断面は、該空気流通路の該第２の部分が下流に延びる時に増加することを特徴とする請求項１から請求項３のいずれか１項に記載の喫煙物品。
【請求項８】
前記エアロゾル形成基材の下流にあり、前記空気流通路の前記第１の部分及び前記空気流通路の前記第２の部分を形成する空気流配向要素、
を含むことを特徴とする請求項１から請求項３のいずれか１項に記載の喫煙物品。
【請求項９】
前記空気流配向要素は、開放端の実質的に空気不透過性の中空体を含むことを特徴とする請求項８に記載の喫煙物品。
【請求項１０】
前記中空体は、直円筒であることを特徴とする請求項９に記載の喫煙物品。
【請求項１１】
前記中空体は、切頭直円錐であることを特徴とする請求項９に記載の喫煙物品。
【請求項１２】
前記熱源は、可燃性熱源であることを特徴とする請求項１から請求項３のいずれか１項に記載の喫煙物品。
【請求項１３】
前記可燃性熱源は、前記空気流通路に沿って引き込まれた空気が該可燃性熱源と直接に接触しないように該空気流通路から隔離されることを特徴とする請求項１２に記載の喫煙物品。
【請求項１４】
前記熱源の後部分及び前記エアロゾル形成基材の前部分の周りにあり、かつそれと接触する熱伝導要素、
を更に含むことを特徴とする請求項１から請求項３のいずれか１項に記載の喫煙物品。
【請求項１５】
吸煙中に喫煙物品のエアロゾル形成基材の温度の上昇を低減又は排除する方法であって、
熱源、
前記熱源の下流のエアロゾル形成基材、
前記エアロゾル形成基材の下流の少なくとも１つの空気入口、及び
前記少なくとも１つの空気入口から前記エアロゾル形成基材に向けて縦方向上流に延びる第１の部分と、該第１の部分から喫煙物品の口腔端に向けて縦方向下流に延びる第２の部分とを含み、該少なくとも１つの空気入口と喫煙物品の該口腔端との間を延びる空気流通路、
を含む喫煙物品を、使用時に前記少なくとも１つの空気入口を通して喫煙物品の中に取り込まれた空気が前記エアロゾル形成基材に向けて前記空気流通路の前記第１の部分を上流に、かつ次に喫煙物品の前記口腔端に向けて該空気流通路の前記第２の部分を下流へ通過するように与える段階、
を含むことを特徴とする方法。
【手続補正２】
【補正対象書類名】明細書
【補正対象項目名】０１０３
【補正方法】変更
【補正の内容】
【０１０３】
一部の実施形態において、障壁は、可燃性熱源の後面に設けられた障壁コーティングを含むことができる。そのような実施形態において、障壁は、可燃性の熱源の少なくとも実質的に後面全体に設けられた障壁コーティングを含むことが好ましい。障壁は、可燃性熱源の後面全体に設けられた障壁コーティングを含むことが更に好ましい。
【手続補正３】
【補正対象書類名】明細書
【補正対象項目名】０１１３
【補正方法】変更
【補正の内容】
【０１１３】
例えば、障壁コーティングは、障壁を可燃性熱源のほぼ後面の大きさ及び形状で予め形成し、それを可燃性熱源の少なくとも実質的に後面全体に接着するように可燃性熱源の後面に付加することによって生成することができる。これに代えて、障壁コーティングは、それを可燃性熱源の後面に付加した後に切断するか又はその他の方法で機械加工することができる。１つの好ましい実施形態において、アルミニウムホイルが、それを可燃性熱源の後面に接着し又は押込することによって付加され、アルミニウムホイルが、少なくとも実質的に可燃性熱源の後面全体、好ましくは可燃性熱源の後面全体を覆い、かつそこに接着するように切断されるか又はその他の方法で機械加工される。
【手続補正４】
【補正対象書類名】明細書
【補正対象項目名】０２０２
【補正方法】削除
【補正の内容】
【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
可食性組成物、具体的には、可食性輸送系であって、
可食性物質、
前記可食性物質を被包する第１の架橋マトリックス、ここで、前記架橋マトリックスは、（１）少なくとも１つの可食性ポリマーおよび可食性粒子、または（２）複数の可食性ポリマーを含む、ならびに
前記第１の架橋マトリックスを被包する第２の架橋マトリックス、ここで、前記第２の架橋マトリックスは、（１）少なくとも１つの可食性ポリマーおよび可食性粒子、または（２）複数の可食性ポリマーを含む、
を含む、可食性組成物。
【請求項２】
前記第１の架橋マトリックスおよび前記第２の架橋マトリックスの少なくとも１つの中の前記可食性ポリマーおよび可食性粒子または前記複数の可食性ポリマーの少なくとも１つは、多価イオンによって荷電架橋され、前記多価イオンによって形成される橋を介する前記可食性粒子および可食性ポリマー間または複数の可食性ポリマー間の架橋型相互作用を含む、請求項１に記載の可食性組成物。
【請求項３】
前記可食性粒子は、第１の可食性粒子の特徴的寸法の７５％未満（例えば、５０％未満、２５％、１０％未満、５％未満、または１％未満）の特徴的寸法を有する第２の可食性粒子を含む、請求項１に記載の可食性組成物。
【請求項４】
前記第１および第２の可食性粒子を含む前記第１の架橋マトリックスおよび前記第２の架橋マトリックスの少なくとも１つは、前記第１および第２の可食性粒子を含まない類似の可食性組成物より低い質量損失率を有する、請求項３に記載の可食性組成物。
【請求項５】
前記第１の粒子は、前記第１の架橋マトリックスおよび前記第２の架橋マトリックスの少なくとも１つに構造的安定性を提供する、請求項４に記載の可食性組成物。
【請求項６】
前記第１の架橋マトリックスおよび前記第２の架橋マトリックスの少なくとも１つの前記少なくとも１つの可食性ポリマーまたは前記複数の可食性ポリマーは、親水コロイド、シェラック、および繊維からなる群から選択される多糖を含む、請求項１〜５いずれかに記載の可食性組成物。
【請求項７】
前記第１の架橋マトリックスおよび前記第２の架橋マトリックスの少なくとも１つの前記少なくとも１つの可食性ポリマーまたは前記複数の可食性ポリマーは、アルギン酸塩、寒天、澱粉、ゼラチン、カラギナン、キサンタンガム、ジェランガム、ガラクトマンナン、アラビアゴム、ペクチン、乳タンパク質、セルロース誘導体、カルボキシメチルセルロース誘導体、メチルセルロース誘導体、トラガカントガムおよびカラヤガム、キシログルカン、カードラン、穀物βグルカン、可溶性大豆多糖、バクテリアセルロース、微結晶性セルロース、キトサン、イヌリン、乳化ポリマー、コンニャクマンナン／コンニャクグルコマンナン、種子ガム、ならびにプルランからなる群から選択される親水コロイドを含む、請求項６に記載の可食性組成物。
【請求項８】
前記第１の架橋マトリックスおよび前記第２の架橋マトリックスの少なくとも１つは、親水コロイド、シェラック、繊維、バガス、タピオカ、キトサン、糖誘導体、チョコレート、海藻、およびそれらの組み合わせを含む群から選択される粒子を更に含み、且つ前記粒子は、前記ポリマー化合物と異なる化合物を含む、請求項１に記載の可食性組成物。
【請求項９】
前記可食性粒子は、約０．１ミクロン〜約１．０ミクロンの間、約０．１ミクロン〜約１０．０ミクロンの間、約０．１ミクロン〜約１００．０ミクロンの間、約０．１ミクロン〜約１．０ミリメートルの間または約０．１〜約３ミリメートルの間の体積平均分布を有する粒径を含む、請求項１に記載の可食性組成物。
【請求項１０】
前記可食性物質は、粉末、ゲル、乳剤、発泡体、固体、およびそれらの組み合わせのうちの少なくとも１つを含む、請求項１に記載の可食性組成物。
【請求項１１】
前記可食性物質は、果実、野菜、肉、乳製品、炭水化物食品、植物、エネルギー補助食品、健康補助食品、糖菓、栄養補助食品、調剤、睡眠補助化合物、体重減少化合物、粉末野菜、香味添加剤、甘味料、粉末食品、およびそれらの組み合わせからなる群から選択される、請求項１０に記載の可食性組成物。
【請求項１２】
前記可食性物質は液体を含み、具体的には、前記液体は、水、アルコール、ジュース、アルコール混合飲料、コーヒー製品、紅茶製品、清涼飲料、エネルギー補助食品製品、健康補助食品、糖菓、およびそれらの組み合わせのうちの少なくとも１つを含む、請求項１に記載の可食性組成物。
【請求項１３】
前記第２の架橋マトリックスを封入する外殻を更に含み、前記殻は、室温にて前記第２の架橋マトリックスより構造的に弾性である、請求項１に記載の可食性組成物。
【請求項１４】
前記第１の架橋マトリックスおよび前記第２の架橋マトリックス間または前記第２の架橋マトリックスおよび前記外殻間の少なくとも１つに可食性障壁層を更に含む、請求項１３に記載の可食性組成物。
【請求項１５】
前記第１の架橋マトリックスおよび前記第２の架橋マトリックス間または前記第２の架橋マトリックスおよび前記外殻間の少なくとも１つに配設される粒子層を更に含む、請求項１３に記載の可食性組成物。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
水相中に液体フレーバーオイルのナノエマルジョンを含む澄んだ飲料濃縮物の製造方法であって、乳化剤の存在下での水中でのフレーバーオイルの乳化を含み、前記乳化剤は少なくとも５重量％のキラヤサポニンからなり、任意に少なくとも１種の他の乳化剤を含有し、乳化前に水相のｐＨを最大４．０に調整することを特徴とする、前記方法。
【請求項２】
ｐＨが食品用に認可されている酸の添加により調整される、請求項１に記載の方法。
【請求項３】
乳化剤中のキラヤサポニンの比率が２５、５０、７５および１００％から選択される、請求項１に記載の方法。
【請求項４】
請求項１に記載の方法により調製可能な、フレーバー付与した澄んだ飲料濃縮物。
【請求項５】
固形の澄んだ飲料濃縮物の製造方法であって、請求項４に記載の濃縮物に担体を添加することおよび噴霧乾燥することを含み、担体が１００ｋＤａより大きな分子量のアラビアゴムを含む、前記方法。
【請求項６】
請求項５に記載の方法により調製可能な、固形の澄んだ飲料濃縮物。
【請求項７】
澄んだ飲料ベースおよび請求項４に記載の澄んだ飲料濃縮物を含む、澄んだ飲料。
【請求項８】
澄んだ飲料ベースおよび溶解した請求項６に記載の固形の澄んだ飲料濃縮物を含む、澄んだ飲料。
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
(i)細胞増殖用培地を用いて、培地のｐＨが０．１以上上昇するまで大腸菌細胞を回分式で培養する段階：
(ii)細胞培養培地のｐＨが上昇するとき一次注入培地を添加し流加式で培養段階：及び  (iii)細胞培養培地の吸光度（ＯＤ600）が１５０以上上昇するときから二次注入培地を添加し大腸菌細胞を流加式で培養する段階を含む大腸菌細胞の培養方法。
【請求項２】
前記大腸菌は、組換えタンパク質を発現する形質変換された菌株である請求項１に記載の方法。
【請求項３】
前記形質転換大腸菌株は、ＨＭ１１２０１（ＫＣＣＭ-１０６６０Ｐ）である請求項２に記載の方法。
【請求項４】
前記ステップ(iii)を実行している間又はその後に、組換えタンパク質の発現を誘導する段階をさらに含む請求項２に記載の方法。
【請求項５】
前記形質転換大腸菌株は、Ｌａｃオペレーターが導入された発現ベクターを含む請求項２に記載の方法。
【請求項６】
イソプロピルβ-Ｄ-1-チオガラクトピラノシド(Isopropylβ-Ｄ-1-thiogalactopyranoside、IPTG)を添加して組換えタンパク質の発現を誘導する請求項４に記載の方法。
【請求項７】
前記イソプロピルβ-Ｄ-1-チオガラクトピラノシドの添加量は、０．１〜０．５ｍＭである請求項６に記載の方法。
【請求項８】
前記イソプロピルβ-Ｄ-1-チオガラクトピラノシドは、培地の吸光度（ＯＤ600）が１２０以上を示す時だけ添加する請求項６に記載の方法。
【請求項９】
前記ステップ（ii）は、一次注入培地の注入率は２００〜４００ｍｌ/ｈｒで攪拌速度は４００〜８００ｒｐｍである請求項１に記載の方法。
【請求項１０】
前記注入率及び攪拌速度は、段階的に増加させる請求項９に記載の方法。
【請求項１１】
前記ステップ（ii）は、一次注入培地の注入率及び攪拌速度を３ステップにかけて増加させることで行い、ここで、まず、は一次注入培地の注入率は２００〜３００ｍｌ/ｈｒで攪拌速度は４００〜６００ｒｐｍで、それから、注入率は２５０〜３５０ｍｌ/ｈｒで攪拌速度は５００〜７００ｒｐｍで、最後に、注入率は３００〜４００ｍｌ/ｈｒで攪拌速度は６００〜８００ｒｐｍで培養する請求項９に記載の方法。
【請求項１２】
前記ステップ（iii）において、二次注入培地の注入率は２００〜４００ｍｌ/ｈｒで攪拌速度は４００〜８００ｒｐｍで培養する請求項１に記載の方法。
【請求項１３】
前記注入率及び攪拌速度は、段階的に減少させる請求項１２に記載の方法。
【請求項１４】
前記ステップ（iii）は、初代培地の注入率及び攪拌速度を３ステップにかけて減少させることで行い、ここで、まず、二次注入培地の注入率は３００〜４００ｍｌ/ｈｒで攪拌速度は６００〜８００ｒｐｍで、それから、注入率は２５０〜３５０ｍｌ/ｈｒで攪拌速度は５００〜７００ｒｐｍで、最後に、注入率は２００〜３００ｍｌ/ｈｒで攪拌速度は４００〜６００ｒｐｍで培養する請求項１２に記載の方法。
【請求項１５】
細胞増殖用培地は、トリプトン、酵母抽出物、ＮａＣｌ、ＫＨ2ＰＯ4、（ＮＨ4）2ＨＰＯ4を含む初代増殖培地に、クエン酸、ＦｅＣｌ2、Ｈ3ＢＯ3、ＭｎＣｌ2、ＣｕＣｌ2、Ｎａ2ＮｏＯ4、ＣｏＣｌ2、ＺｎＣｌ2、ＥＤＴＡを含むトレースメタル溶液（Trace metal solution）が添加された請求項１に記載の方法。
【請求項１６】
一次注入培地は、２００〜４００ｇ/ｌの酵母抽出物及び７００〜８００ｇ/ｌのブドウ糖を含む請求項１に記載の方法。
【請求項１７】
二次注入培地は、２００〜４００ｇ/ｌの酵母抽出物及び５００〜７００ｇ/ｌのブドウ糖を含む請求項１に記載の方法。
【請求項１８】
細胞培地の最終吸光度（ＯＤ600）が、２００以上示す請求項１に記載の方法。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
第１の当接面（１１６）を備えた固定式ロック手段（１０６）と、
ロック位置と解放位置の間を可動である可動式ロック手段（１０８；２０８）と、
可動式ロック手段（１０８；２０８）上に配置された第２の当接面（１１８；２１８）とを備える袋ロック機構であって、
固定ロック手段（１０６）が、その構成によって少なくとも部分的に制限されたロック空間（１１４）を画定し、その中で可動式ロック手段（１０８；２０８）が、ロック位置と解放位置の間で可動であることを特徴とする袋ロック機構。
【請求項２】
可動式ロック手段（１０８；２０８）が、制限されたロック空間（１１４）に進入するように可動であることでロック位置に到達し、ロック空間（１１４）から出るように可動であることで解放位置に到達すること、及び／又はロック位置にある可動式ロック手段（１０８）が基本的に制限されたロック空間（１１４）の内側に位置することを特徴とする、請求項１記載のロック機構。
【請求項３】
固定式ロック手段（１０６）が当接肩部（１２０）を備えており、その上に第１の当接面（１１６）が少なくとも部分的に配置されることを特徴とする、請求項１記載のロック機構。
【請求項４】
第１の当接面（１１６）が第１のへこみ（１２２）を有するように構成され、第２の当接面（１１８；２１８）が第２のへこみ（１２４）を有するように構成され、第１及び第２のへこみ（１２２、１２４）がほぼ等しい形状を有することを特徴とする、請求項１乃至請求項３のいずれか１項記載のロック機構。
【請求項５】
第１及び第２のへこみ（１２２、１２４）が、ロック機構（１００；２００）内にロックすべき袋（１０４）の縁部（１１２）において組み込まれたロッド（１１０）の形状に実質的に相当する形状を有すること、及び／又はロック機構が袋（１０４）の一方の側縁部（１１２）に設けられた中空の縫い目の中に少なくとも１つのロッド（１１０）を備えた可撓性のプラスチック製の袋（１０４）を収容するように適合されることを特徴とする、請求項４記載のロック機構。
【請求項６】
可動式ロック手段（１０８）が、ロック位置と解放位置の間を枢動式に移動するように構成されること、又は可動式ロック手段（２０８）が、ロック位置と解放位置の間をほぼ直線的に移動するように構成されることを特徴とする、請求項１乃至請求項５のいずれか１項記載のロック機構。
【請求項７】
可動式ロック手段（１０８；２０８）をロック位置に推し進めるようにばね手段（１２６；２１６）が配置されることを特徴とする、請求項１乃至請求項６のいずれか１項記載のロック機構。
【請求項８】
可動式ロック手段（１０８；２０８）上にハンドル（１３０）が配置され、このハンドル（１３０）によって、可動式ロック手段（１０８；２０８）をハンドル（１３０）に加えられる特定の力によってロック位置と解放位置の間で移動させることができること、及び／又は可動式ロック手段（１０８；２０８）が制御面（１３２；２３２）を備えており、この面に対して特定の力が加えられることで可動式ロック手段（１０８；２０８）を解放位置に向かう方向に移動させることができることを特徴とする、請求項１乃至請求項７のいずれか１項記載のロック機構。
【請求項９】
少なくとも１つの自動ロック式の袋ロック機構を備えた可動式トレイ（１０２）を備えるバイオリアクターであって、バイオリアクターが、袋（１０４）の一方の側縁部（１１２）に設けられた中空の縫い目の中に少なくとも１つのロッド（１１０）を有する可撓性のプラスチック製の袋（１０４）を収容するように構成されており、任意にはプラスチック製の袋（１０４）をさらに備えていて、袋がロック機構内にロックされるか及び／又はトレイが特定の軸の周りを枢動するように構成される、バイオリアクター。
【請求項１０】
自動ロック式袋ロック機構が、請求項１乃至請求項８のいずれか１項によって定義される、請求項９記載のバイオリアクター。
【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
使い捨て流体混合袋（２）を格納するための容器（１）を備える混合システムであって、容器（１）が、流体混合袋（２）を支持する基部（３）と、基部（３）から上方へ垂直に延びる側壁（４）とを備えており、側壁（４）が、摺動扉（６）によって閉鎖可能な扉開口（５）を備えていることを特徴とする、混合システム。
【請求項２】
扉開口（５）が側壁（４）の高さの３０％以上の高さ、好ましくは、側壁（４）の高さの８０％以上、最も好ましくは１００％を有する、請求項１記載の混合システム。
【請求項３】
摺動扉（６）が容器（１）の上部（７）に摺動式に懸架される、請求項１又は請求項２記載の混合システム。
【請求項４】
容器（１）は、扉（６）がその閉位置にあるときに円形円筒であり、容器（１）の上部（３）は、扉（６）が摺動式に懸架される上部環状要素（７１）を備えており、扉（６）は、任意には、扉（６）を環状要素（７１）に摺動式に懸架するための案内要素（９、９’）を備える懸架手段（８、８’）を備える、請求項１乃至請求項３のいずれか１項記載の混合システム。
【請求項５】
上部環状要素（７１）は、案内要素（９、９’）が摺動可能な軌道（１０、１０’）又はレールを備えており、及び／又は案内要素（９、９’）がピンである、請求項４記載の混合システム。
【請求項６】
扉（６）は扉（６）の両側に懸架手段（８、８’）を備え、上部環状要素（７１）は、懸架手段（８、８’）のそれぞれのための軌道（１０、１０’）又はレールを備える、請求項４又は請求項５記載の混合システム。
【請求項７】
軌道（１０、１０’）又はレールは、軌道（１０、１０’）又はレールの残りの部分よりも容器（１）の径方向中心により近い弧状端部分（１１、１１’）を備え、扉（６）がその閉位置から開かれたときに、扉（６）は容器の径方向中心に対して放射状に外方向へ移動し、それにより、容器（１）の残りの壁（４）との接触から解放される、請求項５又は請求項６記載の混合システム。
【請求項８】
懸架手段（８、８’）は、軌道又はレール（１０、１０’）の外側を摺動するように配設されたボールベアリングを備える摺動要素（１２）を備えており、任意には、上部環状要素（７１）は、扉が閉位置にあるときに摺動要素（１２、１２’）のボールベアリングが少なくとも部分的に収容される窪みを備える、請求項５乃至請求項７のいずれか１項記載の混合システム。
【請求項９】
扉（６）及び／又は容器（１）の側壁（４）が二重壁を備えており、加熱又は冷却された液体が二重壁間を流れるように配設されて容器をそれぞれ加温又は冷却する、請求項１乃至請求項８のいずれか１項記載の混合システム。
【請求項１０】
細胞又は微生物を培養するための、請求項１乃至請求項９のいずれか記載の混合システムの使用。
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
シュードモナス・エルジノーサ（Ｐｓｅｕｄｏｍｏｎａｓ  ａｅｒｕｇｉｎｏｓａ）（Ｐ．ａｅｒｕｇｉｎｏｓａ）ＯｐｒＭの外側ループを含む１以上のポリペプチドの免疫学的有効量及び医薬上許容される担体を含む組成物。
【請求項２】
ＯｐｒＭが配列番号５である、請求項１記載の組成物。
【請求項３】
１以上のポリペプチドが、配列番号１および２からなる群から選択される外側ループを含む、請求項１〜２のいずれか１項記載の組成物。
【請求項４】
１以上のポリペプチドが、外側ループに隣接している１０個までのアミノ酸残基を更に含む、請求項１〜３のいずれか１項記載の組成物。
【請求項５】
１以上のポリペプチドが配列番号３または４を含む、請求項４記載の組成物。
【請求項６】
ＯｐｒＭ外側ループを含むポリペプチドが担体タンパク質にコンジュゲート化されている、請求項１〜５のいずれか１項記載の組成物。
【請求項７】
担体タンパク質がＫＬＨである、請求項６記載の組成物。
【請求項８】
組成物がアジュバントを更に含む、請求項１〜７のいずれか１項記載の組成物。
【請求項９】
請求項１〜８のいずれか１項記載の組成物の免疫学的有効量を含む、シュードモナス・エルジノーサ感染に対して患者において防御免疫応答を誘導するための医薬。
【請求項１０】
患者がヒトである、請求項９記載の医薬。
【請求項１１】
患者が、嚢胞性線維症患者、熱傷患者、入院患者、手術を受けている患者、ベンチレータを使用している患者、および免疫低下を示す患者からなる群から選択される、請求項１０記載の医薬。
【請求項１２】
免疫低下を示す患者がＨＩＶまたはエイズを有する、または癌患者である、または移植レシピエントである、請求項１１記載の医薬。
【請求項１３】
シュードモナス・エルジノーサ感染に対して患者において防御免疫応答を誘導するための医薬の製造における、請求項１〜８のいずれか１項記載の１以上の組成物の使用。
【請求項１４】
１以上のポリペプチドが、配列番号１および２からなる群から選択される外側ループを含む、請求項１３記載の使用。
【請求項１５】
１以上のポリペプチドが、外側ループに隣接している１０個までのアミノ酸残基を更に含む、請求項１３〜１４のいずれか１項記載の使用。
【請求項１６】
１以上のポリペプチドが配列番号３または４を含む、請求項１５記載の使用。
【請求項１７】
ＯｐｒＭ外側ループを含む１以上のポリペプチドが担体タンパク質にコンジュゲート化されている、請求項１３〜１６のいずれか１項記載の使用。
【請求項１８】
担体タンパク質がＫＬＨである、請求項１７記載の方法。
【請求項１９】
シュードモナス・エルジノーサＯｐｒＭの外側ループに特異的に結合する１以上の抗体を含む、患者においてシュードモナス・エルジノーサ感染に対する受動免疫を付与するための医薬。
【請求項２０】
１以上の抗体がモノクローナル抗体である、請求項１９記載の医薬。
【請求項２１】
１以上の抗体が、ヒト抗体およびヒト化抗体からなる群から選択される、選択される、請求項２０記載の医薬。
【請求項２２】
外側ループが、配列番号１および２からなる群から選択される、請求項１９〜２１のいずれか１項記載の医薬。
【請求項２３】
ａ）患者から生物学的サンプルを集め、
ｂ）シュードモナス・エルジノーサＯｐｒＭの外側ループに結合する抗体と生物学的サンプルを、免疫複合体の形成を可能にする条件下で接触させ、
ｃ）生物学的サンプルへの抗体の結合を検出することを含む、患者におけるシュードモナス・エルジノーサ感染を検出する方法であって、前記の結合が患者におけるシュードモナス・エルジノーサ感染の存在を示す、方法。
【請求項２４】
生物学的サンプルが、喀痰、気管内吸引物、細気管支洗浄液、気道サンプル、尿、血液、血漿、唾液、膿、腹水、創傷滲出液、腹腔液、腹部液および涙からなる群から選択される、請求項２３記載の方法。
【請求項２５】
ＯｐｒＭが配列番号５である、請求項２３記載の方法。
【請求項２６】
外側ループが、配列番号１および２からなる群から選択される、請求項２３〜２５のいずれか１項記載の方法。
【請求項２７】
抗体がポリクローナルまたはモノクローナル抗体である、請求項２３〜２６のいずれか１項記載の方法。
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
ａ）脂質ベースの担体部分と、ｂ）ＥＮＤＯ１８０標的部分と、ｃ）有効量の治療剤もしくは診断剤またはそれらの組み合わせ、を含む、組成物であって、前記担体部分および前記標的部分は、共有結合される、組成物。
【請求項２】
前記担体部分および前記標的部分は、合成ポリマー、天然ポリマー、または半合成ポリマーによる前記担体部分の表面修飾を介して共有結合される、請求項１に記載の組成物。
【請求項３】
前記合成ポリマーは、ＰＥＧ部分を含む、請求項２に記載の組成物。
【請求項４】
前記ＰＥＧ部分は、ＮＨＳ−ＰＥＧ−ＤＳＰＥ［３−（Ｎ−スクシンイミジルオキシグルタリル）アミノプロピル，ポリエチレングリコール−カルバミルジステアロイルホスファチジル−エタノールアミン］を含む、請求項３に記載の組成物。
【請求項５】
前記天然ポリマーは、多糖またはグリコサミノグリカンを含む、請求項２に記載の組成物。
【請求項６】
前記グリコサミノグリカンは、ヒアルロン酸を含む、請求項５に記載の組成物。
【請求項７】
前記ＥＮＤＯ１８０標的部分は、細胞上に存在するＥＮＤＯ１８０ポリペプチドの細胞外ドメインに結合し、前記ＥＮＤＯ１８０ポリペプチドによって前記細胞内に内部移行される、ＥＮＤＯ１８０結合タンパク質を含む、請求項１〜６のいずれか１項に記載の組成物。
【請求項８】
前記ＥＮＤＯ１８０結合タンパク質は、ＥＮＤＯ１８０に結合することができるＥＮＤＯ１８０抗体またはその機能的フラグメントを含む、請求項７に記載の組成物。
【請求項９】
前記ＥＮＤＯ１８０抗体またはその機能的フラグメントは、
ａ．受託番号ＬＭＢＰ  ７２０３ＣＢでＢＣＣＭに寄託されたハイブリドーマ細胞系Ｅ３−８Ｄ８によって生成される、単離モノクローナル抗体またはその抗原結合フラグメント、
ｂ．（ａ）の抗体と同じエピトープに結合する抗体またはその抗原結合フラグメント、
ｃ．（ａ）の抗体もしくはその抗原結合フラグメントのヒト化型、または（ｂ）の抗体もしくはその抗原結合フラグメントのヒト化型、
ｄ．（ａ）の抗体もしくはその抗原結合フラグメントのキメラ型、または（ｂ）の抗体もしくはその抗原結合フラグメントのキメラ型、
ｅ．前記ＥＮＤＯ１８０受容体によって細胞内に内部移行される、（ａ）の抗体の抗原結合ドメインを含む組み換えポリペプチドまたはその抗原結合フラグメント、
ｆ．配列番号６に実質的に類似のポリペプチドを含む、抗体の抗原結合フラグメント、
ならびに
ｇ．配列番号７および８に記載されるアミノ酸配列に実質的に類似のアミノ酸配列を有するＣＤＲを含む、組み換えポリペプチドからなる群から選択される、請求項８に記載の組成物。
【請求項１０】
前記脂質ベースの担体部分は、脂質粒子を含む、請求項１に記載の組成物。
【請求項１１】
前記脂質粒子は、ホスファチジルコリンもしくはその誘導体、ホスファチジルグリセロールもしくはその誘導体、およびホスファチジルエタノールアミン（ＰＥ）もしくはその誘導体、またはそれらの組み合わせからなる群から選択される、１つ以上の脂質を含む、請求項１０に記載の組成物。
【請求項１２】
前記脂質粒子は、１つ以上の陽イオン性脂質および／またはコレステロールをさらに含む、請求項１０または１１に記載の組成物。
【請求項１３】
前記脂質粒子は、ジオレオイルホスファチジルエタノールアミン（ＤＯＰＥ）およびコレステロールを含み、水素添加大豆ホスファチジルコリン（ＨＳＰＣ）をさらに含むことができる、請求項１２に記載の組成物。
【請求項１４】
前記脂質粒子は、ＤＯＰＥ、水素添加大豆ホスファチジルコリン（ＨＳＰＣ）、コレステロール（Ｃｈｏｌ）、およびＰＥＧ部分ＮＨＳ−ＰＥＧ−ＤＳＰＥを、約４．５：２０：７５：０．５（ＤＯＰＥ：ＨＳＰＣ：Ｃｈｏｌ：ＮＨＳ−ＰＥＧ−ＤＳＰＥ）のモル比で含む、または；前記脂質粒子は、ジオレオイルホスファチジルエタノールアミン（ＤＯＰＥ）、１，２−ジ−Ｏ−オクタデセニル−３−トリメチルアンモニウムプロパン（ＤＯＴＭＡ）、およびコレステロール（Ｃｈｏｌ）を、約４：２：１（ＤＯＰＥ：ＤＯＴＭＡ：Ｃｈｏｌ）のモル比で含む、請求項１３に記載の組成物。
【請求項１５】
前記脂質粒子は、ＤＰＰＥおよびコレステロールを含み、大豆ＰＣをさらに含むことができる、請求項１２に記載の組成物。
【請求項１６】
前記脂質粒子は、大豆ＰＣ、ＤＰＰＥ、およびコレステロールを、約３：１：１（大豆ＰＣ：ＤＰＰＥ：コレステロール）のモル比で含む、請求項１５に記載の組成物。
【請求項１７】
前記脂質粒子は、直径が約８５〜約２００ｎＭ、好ましくは約８５〜約１３０ｎｍである、および／または、前記脂質粒子は、約（−７）〜約（−４０）のゼータ電位を含む、請求項１に記載の組成物。
【請求項１８】
前記治療剤は、アンチセンス化合物、化学修飾二本鎖ＲＮＡ化合物、非修飾二本鎖ＲＮＡ化合物、化学修飾ｓｈＲＮＡ化合物、非修飾ｓｈＲＮＡ化合物、化学修飾ｍｉＲＮＡ化合物、および非修飾ｍｉＲＮＡ化合物、化学修飾ｓｉＲＮＡ、化学的非修飾ｓｉＲＮＡ、およびリボザイム、またはそれらの組合せからなる群から選択される核酸である、請求項１に記載の組成物。
【請求項１９】
前記治療剤は、化学修飾ｓｉＲＮＡ化合物および非修飾ｓｉＲＮＡ化合物からなる群から選択されるｄｓＲＮＡ分子である、請求項１８に記載の組成物。
【請求項２０】
増殖性障害を患う対象を治療するための、請求項１〜１９のいずれか１項に記載の組成物。